(57)【要約】【課題】利用者が必要とする記事の検索を支援する。【解決手段】電子掲示板の表示画面１０において、利用者は、記事を閲覧する時、閲覧回数順１１を選択することにより、記事の閲覧回数が多い順番に記事を表示させることができる。このとき、全閲覧回数１１ａ，本日の閲覧回数１１ｂ，今週の閲覧回数１１ｃ，今月の閲覧回数１１ｄ，期間指定１１ｅ、から閲覧回数の記録期間を選択できる。期間指定１１ｅを選択した場合は、任意の指定期間を入力することができる。このように、閲覧された回数が多い順番に記事を並べて表示することにより、掲示板に投稿された記事の中で他の掲示板利用者が関心を持った記事を素早く探しだすことができ、また重要な情報を見逃さないようにすることができる。【選択図】　　　　図３
2004094718.tif 000002
【特許請求の範囲】
【請求項１】
ネットワークに接続された電子掲示板システムにおいて、該電子掲示板システムは、投稿者の投稿した記事を記録する投稿記事記録手段と、投稿された記事単位に閲覧された回数を記録する閲覧情報記録手段と、投稿された記事の表示順序を切り替える表示順序切替手段と、該表示順序切替手段で切替えられた表示順序に従って、該ネットワークを介して接続された端末装置から閲覧可能な電子掲示板に投稿された記事の情報を表示する表示手段とを有し、前記表示順序切替手段は、前記閲覧情報記録手段による閲覧回数情報に基づいて、閲覧された回数が多い順番に記事の表示順序を並べることを特徴とする電子掲示板システム。
【請求項２】
請求項１に記載の電子掲示板システムにおいて、前記表示手段は、前記閲覧情報記録手段による閲覧回数情報に基づいて、記事単位に閲覧回数を表示させることを特徴とする電子掲示板システム。
【請求項３】
請求項１に記載の電子掲示板システムにおいて、前記閲覧情報記録手段は、記事単位の閲覧回数とともに、記事単位で閲覧された時刻を記録し、前記表示順序切替手段は、特定の期間において閲覧回数が多い順番に記事を並べることを特徴とする電子掲示板システム。
【請求項４】
請求項３に記載の電子掲示板システムにおいて、前記表示順序切替手段における前記特定の期間を切り替えることが可能であることを特徴とする電子掲示板システム。
【請求項５】
請求項３または４に記載の電子掲示板システムにおいて、前記表示順序切替手段は、ユーザによる前記特定の期間の指定を受け付けて、該指定された期間において閲覧回数が多い順番に記事を並べることを特徴とする電子掲示板システム。
【請求項６】
請求項１ないし５のいずれか１に記載の電子掲示板システムにおいて、前記表示順序切替手段は、同じ閲覧回数の記事があった場合は、該同じ閲覧回数の記事を、記事の投稿時刻が新しい順に並べることを特徴とする電子掲示板システム。
【発明の詳細な説明】
【０００１】
【発明の属する技術分野】
本発明は、電子掲示板システム、より詳細には、通信ネットワーク上で複数の利用者が自由に記事を作成，閲覧可能な電子掲示板システムに関する。
【０００２】
【従来の技術】
近年、利用者間において情報の伝達やディスカッションを行うために電子掲示板が多く利用されている。電子掲示板を利用することで利用者は任意の時刻に記事を投稿したり、記事を閲覧することが可能になり、遠隔地の利用者との間で非同期でディスカッションが可能となる。しかし、掲示板に投稿される記事の数が多くなると、重要なことが記述されている記事と読むに足らない記事とが掲示板内で混在し、利用者による記事の検索に手間がかかるという問題があった。
【０００３】
このため、従来の電子掲示板では、投稿された記事をカテゴリ順に並べ替えたり、投稿時刻順に並べ替えることで、利用者が目的とする記事を検索しやすくしている。しかしながら、記事をカテゴリ順に並べ替えた場合には、記事が多くなるとカテゴリ数も増加し、検索の手間は減らないという問題が生じる。また、記事を登録時刻順に並べ変えた場合には、古い記事で重要なことが記述されている記事の検索に手間がかかるという問題が生じる。
【０００４】
例えば、従来の電子掲示板装置として、メッセージを閲覧したユーザが閲覧ポイントを入力し、ポイントの高いメッセージを表示する装置が開示されている（例えば、特許文献１参照）。しかしながら、記事の閲覧回数を自動的に計数して、閲覧回数順に提示するシステムは開示されていない。
【０００５】
【特許文献１】
特開２００１−１７５５６３号公報
【０００６】
【発明が解決しようとする課題】
本発明は、上述のごとき実情に鑑みてなされたもので、重要なことが記述されている記事は多くの利用者に閲覧されているものと想定し、閲覧回数順に記事を並べることにより利用者が必要とする記事の検索の支援を行うことができる電子掲示板システムを提供することを目的とするものである。
【０００７】
【課題を解決するための手段】
請求項１の発明は、ネットワークに接続された電子掲示板システムにおいて、該電子掲示板システムが、投稿者の投稿した記事を記録する投稿記事記録手段と、投稿された記事単位に閲覧された回数を記録する閲覧情報記録手段と、投稿された記事の表示順序を切り替える表示順序切替手段と、該表示順序切替手段で切替えられた表示順序に従って、該ネットワークを介して接続された端末装置から閲覧可能な電子掲示板に投稿された記事の情報を表示する表示手段とを有し、前記表示順序切替手段は、前記閲覧情報記録手段による閲覧回数情報に基づいて、閲覧された回数が多い順番に記事の表示順序を並べることを特徴とし、掲示板に投稿された記事の中で掲示板利用者が関心のある記事を素速く探しだすことができるようにすることができ、また掲示板利用者の多くが関心を持つ記事を知ることができるため、重要な情報を見逃さないようにすることができるようにしたものである。
【０００８】
請求項２の発明は、請求項１の発明において、前記表示手段が、前記閲覧情報記録手段による閲覧回数情報に基づいて、記事単位に閲覧回数を表示させることにより、各投稿記事がどの程度利用者が関心を持っているかを目安として知ることができるようにしたものである。
【０００９】
請求項３の発明は、請求項１の発明おいて、前記閲覧情報記録手段が、記事単位の閲覧回数とともに、記事単位で閲覧された時刻を記録し、前記表示順序切替手段は、特定の期間において閲覧回数が多い順番に記事を並べることを特徴とし、特定期間において利用者が関心をもつ記事を検索できるようにしたものである。
【００１０】
請求項４の発明は、請求項３の発明おいて、前記表示順序切替手段における前記特定の期間を切り替えることが可能であることを特徴とし、さらに本発明は、特定の期間を切り替えることで、複数の期間において利用者が関心をもつ記事を検索できるようにしたものである。
【００１１】
請求項５の発明は、請求項３または４の発明において、前記表示順序切替手段が、ユーザによる前記特定の期間の指定を受け付けて、該指定された特定の期間において閲覧回数が多い順番に記事を並べることを特徴とし、任意の期間において利用者が関心をもつ記事を検索できるようにしたものである。
【００１２】
請求項６の発明は、請求項１ないし５のいずれか１の発明において、前記表示順序切替手段が、同じ閲覧回数の記事があった場合は、該同じ閲覧回数の記事を、記事の投稿時刻が新しい順に並べることを特徴とし、同程度の関心を持たれる記事であれば、より新しい記事を検索できるようにしたものである。
【００１３】
【発明の実施の形態】
図１は、本発明の電子掲示板システムのネットワーク構成例を示す図で、図中、１は電子掲示板システム、２はＷＷＷサーバ、３データベースサーバ、３ａはデータベース、４はネットワーク、５はクライアントＰＣである。電子掲示板システム１は、利用者の投稿，表示などの要求受付を行うＷＷＷサーバ２と，投稿記事の記録，検索，ソートを行うデータベースサーバ３により構成される。電子掲示板システム１において、ネットワーク４に接続されたクライアントＰＣ５から電子掲示板システムの掲示板への投稿，閲覧，ユーザ登録などを行うことが可能である。
【００１４】
図２は、電子掲示板システムの機能を説明するための図である。電子掲示板システム１は、投稿記事記録手段、閲覧情報記録手段、表示順序切替手段、及び表示手段とを少なくとも有している。投稿記事記録手段は、投稿した記事をデータベースに記録する処理を行う。閲覧情報記録手段は、投稿された記事単位に閲覧された回数を記録するとともに、記事単位で閲覧された時刻を記録する。表示順序切替手段は、投稿された記事の表示順序を切り替える。表示手段は、表示順序切替手段で切替えられた表示順序に従って、ネットワークを介して接続された端末装置から閲覧可能な電子掲示板に投稿された記事の情報を表示する。このときに表示手段は、閲覧情報記録手段による閲覧回数情報に基づいて、記事単位に閲覧回数を表示可能とする。
【００１５】
また、上記の表示順序切替手段は、閲覧情報記録手段による閲覧回数情報に基づいて、閲覧された回数が多い順番に記事の表示順序を並べる処理を行う。このときに特定の期間を指定して、その期間において閲覧回数が多い順番に記事を並べる処理を行うことができる。またこの期間は切替可能であり、また期間はユーザによる指定が可能である。また表示順序切替手段は、同じ閲覧回数の記事があった場合は、記事の投稿時刻が新しい順に並べることを可能とする。
【００１６】
図３は、電子掲示板システムの掲示板の表示画面例を示す図である。利用者は、記事を閲覧する時、電子掲示板の表示画面１０において、閲覧回数順１１，新規登録順１２，カテゴリ順１３から表示順序を選択して、その表示順序に従って記事を表示させることができる。閲覧回数順１１を選択した場合には，全閲覧回数１１ａ，本日の閲覧回数１１ｂ，今週の閲覧回数１１ｃ，今月の閲覧回数１１ｄ，期間指定１１ｅ、から閲覧回数の記録期間を選択することが可能である。期間指定１１ｅを選択した場合は、任意の指定期間を入力することができる。
【００１７】
図４は、本発明の電子掲示板システムの内部データ構成をＵＭＬ（Ｕｎｉｆｉｅｄ　Ｍｏｄｅｌｉｎｇ　Ｌａｎｇｕａｇｅ）を使用して表記した例を示す図である。「掲示板」オブジェクト２０は、複数の「スレッド」オブジェクト２１と関係している。スレッドとは関連する記事の流れで、新規に登録された記事に対して別の記事を投稿した場合などは、これらの記事は同一のスレッドに属する。「スレッド」オブジェクト２１は、「記事」オブジェクト２２と１対１の関係を持つ。この「記事」オブジェクト２２は新規に登録された記事である。
【００１８】
「記事」オブジェクト２２は、他の「記事」オブジェクトと０．ｎの関係を持つ。これは、各記事に対して追加記事がない場合や複数の追加記事が付く場合があるからである。また「記事」の属性として、投稿者，投稿時刻，記事内容が記録されている。「記事」は、複数の「閲覧記録」オブジェクト２３と関係する。「閲覧記録」には属性として閲覧期間とその期間における閲覧回数が記録されている。
【００１９】
電子掲示板システムは、利用者から閲覧回数順が指定されると、指定された期間における各記事の閲覧回数を算出し、その結果に基づき記事をソートする。その際、指定された期間において閲覧回数が同じ記事があった場合は、投稿時刻が新しい順にソートする。電子掲示板システムは、ソート結果を利用者の表示画面に表示する。以上により、利用者の指定した期間の閲覧回数順に記事を並べて表示を行うことが可能となる。
【００２０】
【発明の効果】
以上の説明から明らかなように、本発明の電子掲示板システムによれば、閲覧された回数が多い順番に記事を並べて表示することにより、掲示板に投稿された記事の中で他の掲示板利用者が関心を持った記事を素早く探しだすことができ、また重要な情報を見逃さないようにすることができる。
【００２１】
さらに本発明によれば、記事単位に閲覧回数を表示することにより、他の利用者が各投稿記事にどの程度関心を持っているかを目安として知ることができる。また、特定の期間において閲覧回数が多い順番に記事を並べて表示することにより、その特定の期間で他の利用者が関心を持った記事を検索することができる。
【００２２】
さらに本発明によれば、上記の特定の期間を切り替えることで、複数の期間毎に利用者が関心を持った記事を検索することができる。また、ユーザが任意の期間を上記の特定の期間として指定し、その期間における閲覧回数が多い順番に記事を並べて表示することで、任意の期間で利用者が関心を持った記事を検索することができる。
【００２３】
さらに本発明よれば、閲覧回数が同じ記事があった場合は、同じ閲覧回数の記事内の順序を記事が投稿された時刻が新しい順に並べることで、同程度の関心を持たれる記事であれば、より新しい記事を検索することができる。
【図面の簡単な説明】
【図１】本発明の電子掲示板システムのネットワーク構成例を示す図である。
【図２】本発明の電子掲示板システムの機能を説明するための図である。
【図３】本発明の電子掲示板システムの掲示板の表示画面例を示す図である。
【図４】本発明の電子掲示板システムの内部データ構成をＵＭＬを使用して表記した例を示す図である。
【符号の説明】
１…電子掲示板システム、２…ＷＷＷサーバ、３…データベースサーバ、３ａ…データベース、４…ネットワーク、５…クライアントＰＣ、１０…電子掲示板の表示画面、１１…閲覧回数順、１２…新規登録順、１３…カテゴリ順、１１ａ…全閲覧回数、１１ｂ…本日の閲覧回数順、１１ｃ…今週の閲覧回数順、１１ｄ…今月の閲覧回数順、１１ｅ…期間指定、２０…「掲示板」オブジェクト、２１…「スレッド」オブジェクト、２２…「記事」オブジェクト、２３…「閲覧記録」オブジェクト。
【図１】
2004094718.tif 000003
【図２】
2004094718.tif 000004
【図３】
2004094718.tif 000005
【図４】
2004094718.tif 000006